(57)【特許請求の範囲】
【請求項１】
通気孔を有する弁座体と、回動軸を有する弁体と、回動軸に対応する軸受部を有する操作レバーを備え、前記回動軸を軸中心として、操作レバーが伏倒した状態で、該操作レバーに連結される弁体が引き上げられ、弁座体の通気孔及びその周縁を弁によって押圧閉塞して気密状態を確保し、操作レバーが起立した状態で、該操作レバーを弁座体に対して押下げることにより、弁体の弁と弁座体の通気孔との間に、間隙を形成し、気密状態を解除する停止弁において、
停止弁は、夫々合成樹脂からなる弁座体（１）、弁体（２）、操作レバー（３）の三部品のみから構成し、
前記弁座体（１）は、周縁部に袋体への取付けのための取付代（１４）を形成するとともに、前記取付代（１４）の内側に操作部（１１）を突設し、該操作部（１１）には操作レバー（３）を保持する操作レバー保持部（１２）と、前記回動軸（２２）に対する軸受溝部（１３）を形成したものとし、
弁体（２）は、前記弁座体（１）の通気孔（１０）に挿通可能な開閉用作動軸（２０）の一端に前記通気孔（１０）より大径となる弁（２１）を有し、
弁体（２）と当該操作レバー（３）を、回動軸（２２）を介して回動可能とし、
操作レバー（３）及び弁体（２）が、弁座体（１）の弾性変形によって、該弁座体（１）から離脱可能としたことを特徴とする合成樹脂製の停止弁。
【請求項２】
通気孔を有する弁座体と、回動軸を有する弁体と、回動軸に対応する軸受部を有する操作レバーを備え、回動軸を軸中心として、操作レバーが伏倒した状態で、該操作レバーに連結される弁体が引き上げられ、弁座体の通気孔及びその周縁を弁によって押圧閉塞して気密状態を確保し、操作レバーが起立した状態で、該操作レバーを弁座体に対して押下げることにより、弁体の弁と弁座体の通気孔との間に、間隙を形成し、気密状態を解除する停止弁において、
停止弁は、夫々合成樹脂からなる弁座体(1) 、弁体(2) 、操作レバー(3) の三部品のみから構成し、前記弁座体（１）は、周縁部に袋体への取付けのための取付代（１４）を形成するとともに、
前記取付代（１４）の内側に操作部（１１）を突設し、更に該操作部（１１）には操作レバー（３）を保持する操作レバー保持部（１２）を形成したものとし、
弁体（２）は、前記弁座体（１）の通気孔（１０）に挿通可能な開閉用作動軸（２０）の一端に前記通気孔（１０）より大径となる弁（２１）を有し、
弁体（２）と当該操作レバー（３）を、回動軸（２２）を介して回動可能とし、
操作レバー（３）及び弁体（２）が、弁座体（１）の弾性変形によって、該弁座体（１）から離脱可能としたことを特徴とする合成樹脂製の停止弁。
【請求項３】
通気孔を有する弁座体と、回動軸を有する操作レバーと、回動軸に対応する軸受部を有する弁体とを備え、前記回動軸を軸中心として、操作レバーが伏倒した状態で、該操作レバーに連結される弁体が引き上げられ、弁座体の通気孔及びその周縁を弁によって押圧閉塞して気密状態を確保し、操作レバーが起立した状態で、該操作レバーを弁座体に対して押下げることにより、弁体の弁と弁座体の通気孔との間に、間隙を形成し、気密状態を解除する停止弁において、
停止弁は、夫々合成樹脂からなる弁座体（１）、弁体（２）、操作レバー（３）の三部品のみから構成し、
前記弁座体（１）は、周縁部に袋体への取付けのための取付代（１４）を形成するとともに、前記取付代（１４）の内側に操作部（１１）を突設し、該操作部（１１）には操作レバー（３）を保持する操作レバー保持部（１２）と、前記回動軸（３２）に対する軸受溝部（１３）を形成したものとし、
弁体（２）は、前記弁座体（１）の通気孔（１０）に挿通可能な開閉用作動軸（２０）の一端に前記通気孔（１０）より大径となる弁（２１）を有し、
弁体（２）と当該操作レバー（３）を、回動軸（３２）を介して回動可能とし、
操作レバー（３）及び弁体（２）が、弁座体（１）の弾性変形によって、該弁座体（１）から離脱可能としたことを特徴とする合成樹脂製の停止弁。
【発明の詳細な説明】
【０００１】
【発明が属する技術分野】
本発明は、例えば、クッション、布団、毛布等の圧縮収納保管に利用する圧縮収納用保管袋、或いは内部に緩衝部材を密封した緩衝用具若しくは保形用具に主として使用する合成樹脂製の停止弁に関するものである。
【０００２】
【従来の技術】
弁構造には、小さいものでは、浮き袋や、ビーチボール、大きいものでは救助用ゴムボート等に、それぞれ使用目的に適合する構成として使用されていることから、各種の弁構造が周知となっている。
【０００３】
【発明が解決しようとする課題】
圧縮収納物のように内部を真空圧とする場合や、浮き袋のように空気を封入する場合に使用する場合には、十分な気密性を維持できることが極めて重要であり、この条件を備えた上で、気密性の解除についての操作性も優れたものであることが好ましい。
【０００４】
一般的に、前記浮き袋や圧縮収納用保管袋等における合成樹脂製の停止弁においては、弁を外すと即座に袋内は常圧となることから、単に袋内の空気を抜くだけであれば便利であるが、不用意な弁の外れによって、その内部の空気が一瞬にして失われるという欠点がある。従って、例えば、浮き袋やゴムボード等に合成樹脂製の停止弁を用いることは、事故に繋がりかねず、危険であった。
【０００５】
したがって、このような場合には、袋内の空気の流出を防止すべく、弁構造を逆止弁としておくことが、公知であるが、逆止弁とした場合には、その袋内の空気を抜いて真空状態とするのは、非常に手間である。即ち、弁の僅かな開口部から内部の空気を抜く必要があることから、一度に多量の空気を抜くことができず、逆止弁を指で強く挟んで変形させ、その状態を維持しつつ、当該浮き袋や圧縮収納用保管袋を何度も手で押圧しなければならない。
【０００６】
また、不慮の事態により、袋内に水分が浸入した場合には、当該水分を外部へ押し出すのは至難である。
【０００７】
更に、度重なる弁の使用により、弁が消耗した場合には、浮き袋やゴムボード等の袋体自体がまだ十分に耐久性を有するものであっても、使用することができなくなることも多い。
【０００８】
本発明は、以上の事情に鑑みてなされたものであり、不用意な弁の外れを防止して十分な気密性を維持でき、簡単な操作で空気を抜くことができ、袋内へ浸入した水分の除去をも容易とし、更には、弁自体の消耗が生じても袋体が使用継続を可能とする合成樹脂製の停止弁を提供することを、解決すべき課題とするものである。
【０００９】
【課題を解決するための手段】
本発明は、通気孔を有する弁座体と、回動軸を有する弁体と、回動軸に対応する軸受部を有する操作レバーを備え、前記回動軸を軸中心として、操作レバーが伏倒した状態で、該操作レバーに連結される弁体が引き上げられ、弁座体の通気孔及びその周縁を弁によって押圧閉塞して気密状態を確保し、操作レバーが起立した状態で、該操作レバーを弁座体に対して押下げることにより、弁体の弁と弁座体の通気孔との間に、間隙を形成し、気密状態を解除する停止弁において、停止弁は、夫々合成樹脂からなる弁座体（１）、弁体（２）、操作レバー（３）の三部品のみから構成し、前記弁座体（１）は、周縁部に袋体への取付けのための取付代（１４）を形成するとともに、前記取付代（１４）の内側に操作部（１１）を突設し、該操作部（１１）には操作レバー（３）を保持する操作レバー保持部（１２）と、前記回動軸（２２）に対する軸受溝部（１３）を形成したものとし、弁体（２）は、前記弁座体（１）の通気孔（１０）に挿通可能な開閉用作動軸（２０）の一端に前記通気孔（１０）より大径となる弁（２１）を有し、弁体（２）と当該操作レバー（３）を、回動軸（２２）を介して回動可能とし、 操作レバー（３）及び弁体（２）が、弁座体（１）の弾性変形によって、該弁座体（１）から離脱可能としたことを特徴とする合成樹脂製の停止弁を、課題を解決するための手段とする。
また、本発明は、通気孔を有する弁座体と、回動軸を有する弁体と、回動軸に対応する軸受部を有する操作レバーを備え、回動軸を軸中心として、操作レバーが伏倒した状態で、該操作レバーに連結される弁体が引き上げられ、弁座体の通気孔及びその周縁を弁によって押圧閉塞して気密状態を確保し、操作レバーが起立した状態で、該操作レバーを弁座体に対して押下げることにより、弁体の弁と弁座体の通気孔との間に、間隙を形成し、気密状態を解除する停止弁において、停止弁は、夫々合成樹脂からなる弁座体(1) 、弁体(2) 、操作レバー(3) の三部品のみから構成し、前記弁座体（１）は、周縁部に袋体への取付けのための取付代（１４）を形成するとともに、前記取付代（１４）の内側に操作部（１１）を突設し、更に該操作部（１１）には操作レバー（３）を保持する操作レバー保持部（１２）を形成したものとし、弁体（２）は、前記弁座体（１）の通気孔（１０）に挿通可能な開閉用作動軸（２０）の一端に前記通気孔（１０）より大径となる弁（２１）を有し、弁体（２）と当該操作レバー（３）を、回動軸（２２）を介して回動可能とし、操作レバー（３）及び弁体（２）が、弁座体（１）の弾性変形によって、該弁座体（１）から離脱可能としたことを特徴とする合成樹脂製の停止弁を、課題を解決するための手段とする。
また、本発明は、通気孔を有する弁座体と、回動軸を有する操作レバーと、回動軸に対応する軸受部を有する弁体とを備え、前記回動軸を軸中心として、操作レバーが伏倒した状態で、該操作レバーに連結される弁体が引き上げられ、弁座体の通気孔及びその周縁を弁によって押圧閉塞して気密状態を確保し、操作レバーが起立した状態で、該操作レバーを弁座体に対して押下げることにより、弁体の弁と弁座体の通気孔との間に、間隙を形成し、気密状態を解除する停止弁において、停止弁は、夫々合成樹脂からなる弁座体（１）、弁体（２）、操作レバー（３）の三部品のみから構成し、前記弁座体（１）は、周縁部に袋体への取付けのための取付代（１４）を形成するとともに、前記取付代（１４）の内側に操作部（１１）を突設し、該操作部（１１）には操作レバー（３）を保持する操作レバー保持部（１２）と、前記回動軸（３２）に対する軸受溝部（１３）を形成したものとし、弁体（２）は、前記弁座体（１）の通気孔（１０）に挿通可能な開閉用作動軸（２０）の一端に前記通気孔（１０）より大径となる弁（２１）を有し、弁体（２）と当該操作レバー（３）を、回動軸（３２）を介して回動可能とし、操作レバー（３）及び弁体（２）が、弁座体（１）の弾性変形によって、該弁座体（１）から離脱可能としたことを特徴とする合成樹脂製の停止弁を、課題を解決するための手段とする。
【００１０】
【発明の効果】
本発明によれば、回動軸を軸中心として、操作レバーが伏倒した状態においては、該操作レバーに連結される弁体が引き上げられ、弁座体の通気孔及びその周縁を弁によって押圧閉塞して気密状態を確保し、操作レバーが起立した状態において、該操作レバーを弁座体に対して押下げることにより、弁体の弁と弁座体の通気孔との間に、間隙を形成し、気密状態を解除するものとしたことから、十分な気密性を維持でき、気密性の解除についての操作性も優れたものとすることができる。
【００１１】
また、操作レバー及び弁体が、弁座体の弾性変形によって、該弁座体から離脱可能としたことから、不慮の事態により、袋内に水分が浸入した場合には、当該水分を外部へ排出することができ、また、度重なる弁の使用により、弁が消耗した場合には、浮き袋やゴムボード等の袋体自体がまだ十分に耐久性を有するものであっても、使用することができる。
【００１２】
更に、弁座体(1) には、回動軸に対する軸受溝部(13)を形成した場合には操作レバーの軸動をより一層良好として、該操作レバー(3)
の位置ずれを防止することができ、更には、当該軸溝受部形成方向への操作レバー(3) のスライドを容易とすることによって、弁座体(1) からの操作レバー(3) 及び弁体(2)
の離脱を担保することができる。
【００１３】
また、操作レバー(3) の引き起こしにより、弁体(2)
における開閉用作動軸(20)の連結部側の端部となる規制縁部(23)が操作レバー(3) と接触した後、樹脂弾性で規制縁部(23)を超えて更に操作レバー(3) が回動することにより、外力による不用意な操作レバーの解除によって内部の空気が一瞬にして失われることを防止することができる。
【００１４】
更に、緩衝用具若しくは保形用具、或いは布団などを収縮した袋において、通気孔を開放する際には、操作レバー(3) を起立させて弁座体(1) に対して押し込むのみでよく、片手で簡単に操作することができる。
【００１５】
【発明の実施の形態及び実施例】
図１は本発明の実施例１に係る合成樹脂製の停止弁を示す組立図、図２は同実施例1に係る合成樹脂製の停止弁の組立状態を示す断面図、図３、図４、図５は夫々、同実施例１に係る合成樹脂製の停止弁及び該合成樹脂製の停止弁を使用した圧縮収納用保管袋の閉塞状態、操作段階、開放状態を示す一部断面図、図６は同実施例１に係る合成樹脂製の停止弁の操作レバー(3)
及び弁体(2) を離脱した状態を示す一部断面図、図７は本発明の実施例２に係る合成樹脂製の停止弁の組立図、図８は本発明の実施例２に係る合成樹脂製の停止弁及び緩衝用具の開放状態を示す断面図、図９は同実施例２に係る合成樹脂製の停止弁及び緩衝用具の閉塞状態を示す断面図、図１０は本発明の実施例３に係る合成樹脂製の停止弁の組立図、図１１は、同実施例３に係る合成樹脂製の停止弁の組立断面図である。
【００１６】
本発明の実施例１に係る合成樹脂製の停止弁は、図１及び図２に示すように、圧縮復元弾性部材を密封する可撓性の袋に取付けて使用するものであって、ポリウレタン製の弁座体(1) とポリアセタール製の弁体(2) 及び操作レバー(3) の三部品から構成され、弁座体(1) は、中央部に直径４．５ｍｍの通気孔(10)を有する外径約２６ｍｍ程度の部材であり、内径２０ｍｍ範囲内を突設して操作部(11)を形成するとともに、該操作部(11)の周縁となる外周部分６ｍｍ幅を袋体のシート部材(14)への取付けのための取付代(14)とし、前記操作部(11)には、取付代(14)と面一となる位置まで、操作レバー(3)
の外形と略同一形状で切欠いて、操作レバー(3) を保持する操作レバー保持部(12)を形成し、更に該操作レバー保持部(12)には、弁体(2) の回動軸(22)に対応する軸受溝部(13)を設けたものとし、
弁体(2) は、前記弁座体(1) の通気孔(10)に挿通可能な断面３ｍｍ四方の正方形となる開閉用作動軸(20)の一端に前記通気孔(10)より大径となる直径５ｍｍ程度の球状の弁(21)を有し、該弁体(2)
の他端には、操作レバー(3) に対して回動可能に連結し、且つ操作レバー(3) の幅（１２ｍｍ）よりも長尺の１５ｍｍとした回動軸として機能する回動軸(22)を形成した全長１０ｍｍ程度のものとし、更に当該他端のうち、操作レバー(3)
と回動により接触する縁部を規制縁部(23)とし、該規制縁部(23)は、僅かに、角を落としたものとし、
操作レバー(3) の一端には、前記回動軸(22)を握持連結する軸受部(30)を有し、他端には、当該操作レバー(3)
の起立を容易とすべく指掛部(32)を形成したものである。
【００１７】
以上の構成により、図３乃至図５に示すように、回動軸(22)が弁座体(1) の軸受溝部(13)に嵌まることにより、操作レバー(3) が弁座体(1) によって軸支され、この回動軸(22)を中心として該操作レバー(3)
が回動することにより、操作レバー(3) が弁体(2) に対して起倒自在とするとともに、当該回動軸(22)が弁座体(1) の軸受溝部(13)に沿ってスライドすることで、前記弁座体(1)の下方に位置する弁体(2) の弁(21)は、操作レバー(3) が伏倒した状態においては、該操作レバー(3) に連結される弁体(2) の弁(21)が弁座体(1)
の通気孔(10)を閉塞して、弁としての気密状態を維持し、
操作レバー(3) の引き起こしにより、弁体(2)
における開閉用作動軸(20)の連結部側の端部となる規制縁部(23)が操作レバー(3) と接触した後、樹脂弾性により、規制縁部(23)を超えて更に操作レバー(3)
が回動し、
当該操作レバー(3) 引き上げ時に並行して弁(21)から指掛部形成面(34)間の露出する開閉用作動軸(20)の長さが増加することにより、当該露出する開閉用作動軸(20)の増加した長さ分、操作レバー(3)
を弁座体(1) に対して押し込んで、前記開閉用作動軸(20)と通気孔(10)との間に間隙(5) を形成して、袋内外の圧力を常圧とし、気密状態を解除するものである。
【００１８】
また、図６に示すように、操作レバー(3) 及び弁体(2)
が、ポリウレタン製の弁座体(1) の弾性変形によって、該弁座体(1) から離脱可能としており、これによって、通気孔から非常に簡単に水分の排出を行うことができる。
【００１９】
更に、このように操作レバー(3) 及び弁体(2)
を合成樹脂製の停止弁から取外すことができることにより、消耗後の操作レバー(3) 及び弁体(2) の交換を行うことができ、その操作も非常に容易である。
【００２０】
尚、前記操作レバー(3) は、伏倒時においては、通常、外力の作用によって、弁体(2)における開閉用作動軸(20)の連結部側の端部となる規制縁部(23)と接触することにより、これ以上の回動を阻止すると共に、当該操作レバー(3) の指掛部(32)に指を掛けて操作レバー(3)
を引き上げることにより、前記規制縁部(23)による規制を樹脂弾性によって乗り越え、操作レバー(3) を弁体(2) に対して起立状態とすることとなるから、不用意な操作レバー(3)
の解除により空気が抜けるというトラブルを避けることができる。
【００２１】
また、操作レバー(3) の起立状態から伏倒状態とする場合においても、同様に、多少の外力によっては、操作レバー(3)
は伏倒せず、意図して操作レバー(3) を弁体(2) に対して伏倒することにより、行うことができる。
【００２２】
次に、本発明の実施例２に係る合成樹脂製の停止弁は、図７にその組立図を、図８及び図９には、合成樹脂製のスポンジ材(4) を非通水性の袋地によって包持密封した緩衝用具に使用した例を断面図で示すように、実施例１に係る合成樹脂製の停止弁と比べ、回動軸(22)の長さを操作レバー(3)
の幅と同寸法とすることにより、操作レバー(13)に対して回動軸(22)が幅方向に突出せず、また、これに対応する弁座体(1) における軸受溝部(13)を形成しないものとした点において、相違する。ここで、本実施例２においては、操作レバー(3)
を定位置に保持するため、弁座体(1) における操作レバー保持部(12)によって、操作レバー(3) は、その両側方向から、十分に挟持したものとしている。
【００２３】
本実施例２に係る合成樹脂製の停止弁は、実施例１に係る合成樹脂製の停止弁と比べ、操作レバー(3) 及び弁体(2) を弁座体(1) から取外す際に、自由な角度で操作レバー(3) を引きぬくことができる点において、操作性を向上させたものである。
【００２４】
尚、本実施例２において使用する緩衝体は、緩衝体内の圧力と外の圧力が同等となる状態において緩衝体を密閉状態として使用し、また、緩衝体を使用しない場合には、合成樹脂製の停止弁を開放して緩衝体を圧縮し、密閉状態とするものである。
【００２５】
即ち、当該密閉した合成樹脂製の停止弁を開放するだけで、スポンジ(4) の復元力と、この際スポンジ材(4) 内の空間が負圧となることによって、急激に形状が復元され、緩衝体内の圧力と外の圧力が同等となったところで、復元が終了するから、この状態で合成樹脂製の停止弁を閉塞する。
【００２６】
このように、本実施例２における合成樹脂製の停止弁を用いた緩衝体は、前記合成樹脂製の停止弁とスポンジ(4) とを組合せて構成することにより、スポンジ (4) の復元力及びスポンジ (4) によってもたらされる負圧によって、収納性を十分具備した上で、簡単な操作で必要なときに瞬時に使用することができる。
【００２７】
次に、本実施例３に係る合成樹脂製の停止弁は、図１０にその組立図を示すように、弁座体(1) は、実施例１と同様のものであり、弁体(2) 及び操作レバー(3) のみ相違する。
【００２８】
即ち、本発明の実施例３に係る合成樹脂製の停止弁においては、弁体(2) は、開閉用作動軸(20)及びその一端に設けられる弁(21)とからなり、操作レバー(3) に軸受部(31)を形成したものであり、前記開閉用作動軸(20)の一部には、前記軸受部
(31)に対して回動自在となる軸受部(24)を形成したものである点で相違するが、実施例１と同様の効果を得ることができる。
【００２９】
また、本発明に係る合成樹脂製の停止弁は、一つの袋体等に対して、いくつ設けても良いし、合成樹脂製の停止弁自体のサイズについても本実施例のものに限定されるものでもない。
【００３０】
更に、本発明に係る合成樹脂製の停止弁は、当該実施例１乃至３に限定されるものではないし、実施例１記載の合成樹脂製の停止弁を実施例２に示したスポンジ(4) との組合せで用いる等とすることもできる。
【００３１】
また、本発明によれば、パッド等の保形材として使用する場合、袋体内が減圧の状態から起立した操作レバー(3) を適度に指で押すことによって、袋体内に流入する空気の量を僅かずつ増やすように調節することで、当該保形材の形状を簡単に微調節することができる。
【００３２】
尚、本実施例２の使用態様に示したように、本発明に係る合成樹脂製の停止弁を、スポンジ等の圧縮復元性を有する弾性部材を密封する可撓性袋に使用する場合においては、当該スポンジ等の復元性により、圧縮した状態から合成樹脂製の停止弁を開放することによって、自動的に袋体内が常圧となって、もとの形状に復帰することから、本発明に係る合成樹脂製の停止弁のみによって、袋内の圧力を調整することができるが、例えば、袋体としてゴムボート等の内部に、袋体内に加圧空気を有するものとする場合においては、当該袋体に、本発明に係る合成樹脂製の停止弁とは別にコンプレッサー等のエア供給手段に対応する気体流入口を設けることが好ましい。
【図面の簡単な説明】
【図１】  本発明の実施例１に係る合成樹脂製の停止弁を示す組立図である。
【図２】  本発明の実施例1に係る合成樹脂製の停止弁の組立状態を示す断面図である。
【図３】  本発明の実施例１に係る合成樹脂製の停止弁及び圧縮収納用保管袋の閉塞状態を示す一部断面図である。
【図４】  本発明の実施例１に係る合成樹脂製の停止弁及び圧縮収納用保管袋の操作段階を示す一部断面図である。
【図５】  本発明の実施例１に係る合成樹脂製の停止弁及び圧縮収納用保管袋の開放状態を示す一部断面図である。
【図６】  本発明の実施例１に係る圧縮収納用保管袋における合成樹脂製の停止弁の操作レバー及び弁体を離脱した状態を示す一部断面図である。
【図７】  本発明の実施例２に係る合成樹脂製の停止弁の組立図である。
【図８】  本発明の実施例２に係る合成樹脂製の停止弁及び緩衝用具の開放状態を示す断面図である。
【図９】  本発明の実施例２に係る合成樹脂製の停止弁及び緩衝用具の閉塞状態を示す断面図である。
【図１０】  本発明の実施例３に係る合成樹脂製の停止弁の組立図である。
【図１１】  本発明の実施例３に係る合成樹脂製の停止弁の組立断面図である。
【符号の説明】
(1)     弁座体
(10)    通気孔
(11)    操作部
(12)    操作レバー保持部
(13)    軸受溝部
(14)    取付代
(2)     弁体
(20)    開閉用作動軸
(21)    弁
(22)    回動軸
(23)    規制縁部
(24)    軸受部
(3)     操作レバー
(30)    連結部
(31)    軸受部
(32)    回動軸
(33)    指掛部
(34)    指掛部形成面
(4)     スポンジ
(5)     間隙
【図１】
0003733563.tif 000002
【図２】
0003733563.tif 000003
【図３】
0003733563.tif 000004
【図４】
0003733563.tif 000005
【図５】
0003733563.tif 000006
【図６】
0003733563.tif 000007
【図７】
0003733563.tif 000008
【図８】
0003733563.tif 000009
【図９】
0003733563.tif 000010
【図１０】
0003733563.tif 000011
【図１１】
0003733563.tif 000012